(57)【要約】【課題】プロジェクタの光源ランプの交換に際して、交換されたランプの駆動条件を取得又は決定して、それをプロジェクタ内に設定する。【解決手段】光源ランプ１が異なる規格のランプと交換可能であるプロジェクタ１１０であって、ランプ１が交換された場合にランプ取り付け位置に取り付けられたランプの規格を判別するランプ判別手段３と、ランプ判別手段３が特定規格のランプを判別した時に、通信回線３００を介して所定のサーバ４００にアクセスして、取り付けられた特定規格のランプの駆動条件をサーバ４００からプロジェクタ１１０に取り込むダウンロード手段１１と、取り込んだ駆動条件に基づいてランプ駆動回路２の動作を設定する中央処理制御部１０とを備えた。【選択図】　　　　図３
2004085749.tif 000002
【特許請求の範囲】
【請求項１】
光源ランプ、該ランプの駆動回路、該ランプの照明光を取り込んで画像を生成する光変調装置を備え、前記ランプを交換可能であるプロジェクタであって、
前記光源ランプが交換された場合にランプ取り付け位置に取り付けられたランプの規格を判別する判別手段と、
その判別結果に応じたランプの駆動条件をプロジェクタ内へ取り込むようにユーザーに促す警告手段と、
ランプの駆動条件をプロジェクタ内へ取り込むデータ受信回路と、
取り込まれたランプの駆動条件に基づき前記駆動回路を設定する駆動条件設定手段と、
を備えたことを特徴とするプロジェクタ。
【請求項２】
ランプの駆動条件が外部からデータの取り込みが可能な画像供給装置を介してプロジェクタに取り込まれることを特徴とする請求項１記載のプロジェクタ。
【請求項３】
ランプの駆動条件が画像情報にミックスされてプロジェクタに取り込まれ、その後抽出されることを特徴とする請求項２記載のプロジェクタ。
【請求項４】
光源ランプ、該ランプの駆動回路、該ランプの照明光を取り込んで画像を生成する光変調装置を備え、前記ランプを交換可能であるプロジェクタであって、
前記光源ランプが交換された場合にランプ取り付け位置に取り付けられたランプの規格を判別する判別手段と、
前記判別手段が特定規格のランプを判別した時に、通信回線を介して所定のサーバにアクセスして、取り付けられた特定規格のランプの駆動条件を該サーバから前記プロジェクタに取り込むダウンロード手段と、
取り込んだ駆動条件に基づいて前記駆動回路の動作を設定する駆動条件設定手段と、
を備えたことを特徴とするプロジェクタ。
【請求項５】
光源ランプ、該ランプの駆動回路、該ランプの照明光を取り込んで画像を生成する光変調装置を備え、前記ランプを交換可能であるプロジェクタであって、
前記光源ランプが交換された場合にランプ取り付け位置に取り付けられたランプの規格を判別する判別手段と、
前記判別手段が特定規格のランプを判別した時に、所定のサーバにアクセスしてデータのダウンロードが可能な外部機器に対して、取り付けられた特定規格のランプの駆動条件のダウンロードを要求する信号を送信し、かつ前記外部機器がダウンロードした前記駆動条件を前記プロジェクタに取り込むデータ送受信回路と、
取り込んだ駆動条件に基づいて前記駆動回路の動作を設定する駆動条件設定手段と、
を備えたことを特徴とするプロジェクタ。
【請求項６】
前記サーバへのアクセス前に、ユーザーに対して取り付けられたランプの駆動条件を該サーバから前記プロジェクタに取り込むことを促す表示手段又は音声出力手段を備えたことを特徴とする請求項４又は５記載のプロジェクタ。
【請求項７】
前記サーバがインターネットに接続されていることを特徴とする請求項４乃至６のいずれかに記載のプロジェクタ。
【請求項８】
光源ランプ、該ランプの駆動回路、該ランプの照明光を取り込んで画像を生成する光変調装置を備え、前記ランプを交換可能であるプロジェクタであって、
交換可能な複数の規格の光源ランプに対応した複数の駆動条件を予め記憶した記憶手段と、
前記光源ランプが交換された場合にランプ取り付け位置に取り付けられたランプの規格を判別する判別手段と、
前記判別手段で判別されたランプ規格に対応する予め記憶されていた駆動条件に基づいて前記駆動回路の動作を設定する駆動条件設定手段と、
を備えたことを特徴とするプロジェクタ。
【請求項９】
光源ランプ、該ランプの駆動回路、該ランプの照明光を取り込んで画像を生成する光変調装置、及び該ランプが交換された場合にランプ取り付け位置に取り付けられたランプの規格を判別する判別手段を備えたプロジェクタと、
特定規格のランプの駆動条件を記憶してあるサーバと、
前記判別手段が特定規格のランプを判別した時に、通信回線を介して前記サーバにアクセスして、取り付けられた特定規格のランプの駆動条件を該サーバから前記プロジェクタ又は前記プロジェクタに接続された外部機器にダウンロードするダウンロード手段と、
前記ダウンロード手段でダウンロードされた駆動条件に基づいて前記駆動回路の動作を設定する駆動条件設定手段と、
を備えたことを特徴とするプロジェクタシステム。
【請求項１０】
前記サーバへのアクセス時に、前記プロジェクタ及び／又はユーザーに関する情報が該サーバ側へ送信され、それらの情報が該サーバの側で一元管理されることを特徴とする請求項９記載のプロジェクタシステム。
【請求項１１】
前記光源ランプを点灯する前に、前記光源ランプが交換されたか否かを検出することを特徴とする請求項１乃至８いずれかに記載のプロジェクタ。
【請求項１２】
前記光源ランプを点灯する前に、前記光源ランプが交換されたか否かを検出することを特徴とする請求項９乃至１０いずれかに記載のプロジェクタシステム。
【発明の詳細な説明】
【０００１】
【発明の属する技術分野】
本発明は、照明に用いられる光源ランプに異なった規格のランプが利用できるプロジェクタに関し、交換された光源ランプの駆動条件を取得又は決定して設定する方法、その方法を可能にするプロジェクタ並びにプロジェクタシステムに関する。
【０００２】
【従来の技術】
プロジェクタは、近年、高輝度化が急速に進んできたが、その輝度は使用態様に応じて適宜に決定されてよい。例えば、ホームシアター用のプロジェクタの輝度は、データ表示用のプロジェクタのそれに比べて暗くてもよい。従って、高輝度化に対応して作られたデータ表示用のプロジェクタをホームシアター用にいる場合に、光源ランプの駆動条件を変えて、そのランプの輝度を落とすことが行われてきた。
【０００３】
【発明が解決しようとする課題】
しかしながら、従来の場合、光源ランプ自体を異なった規格のランプに代えることとはしていないため、ランプの駆動条件を変えたとしても、光源ランプの輝度を希望する量まで落とすことができなかった。また、ランプの輝度を落すと発光特性が変化してしまい、そのままでは表示される色が変わってしまう。
本発明は、上記課題に鑑みてなされたもので、輝度の調整等のために規格の異なる光源ランプの交換を前提とし、交換されたランプの駆動条件を取得又は決定して、それをプロジェクタ内に設定できるプロジェクタ、並びにプロジェクタシステムを提供することを目的とする。
【０００４】
【課題を解決するための手段】
本発明のプロジェクタは、光源ランプ、該ランプの駆動回路、該ランプの照明光を取り込んで画像を生成する光変調装置を備え、前記ランプを交換可能であるプロジェクタであって、前記光源ランプが交換された場合にランプ取り付け位置に取り付けられたランプの規格を判別する判別手段と、その判別結果に応じたランプの駆動条件をプロジェクタ内へ取り込むようにユーザーに促す警告手段と、ランプの駆動条件をプロジェクタ内へ取り込むデータ受信回路と、取り込まれたランプの駆動条件に基づき前記駆動回路を設定する駆動条件設定手段と、を備えたことを特徴とする。これによれば、交換可能なランプの規格を予め特定しておくことで、取り付けられたランプがその特定されたものに該当する場合には、そのランプの駆動条件の取り込みが警告されるので、ユーザーは適切な対応がとれる。従って、判別結果に応じたランプの駆動条件を何らかの方法で得てプロジェクタ内へ取り込めば、その駆動条件に基づき前記駆動回路の動作が設定される。また、ランプの駆動条件が外部からデータの取り込みが可能な画像供給装置を介してプロジェクタに取り込まれることで、特別な機器を準備することなく、ランプの駆動条件設定が可能となる。
なお、上記の場合に、ランプの駆動条件が画像情報にミックスされてプロジェクタに取り込まれ、その後抽出されるようにしてもよい。これにより、画像送信ケーブルを利用してランプの駆動条件をプロジェクタに取り込むことができる。
【０００５】
本発明のプロジェクタは、また、光源ランプ、該ランプの駆動回路、該ランプの照明光を取り込んで画像を生成する光変調装置を備え、前記ランプを交換可能であるプロジェクタであって、前記光源ランプが交換された場合にランプ取り付け位置に取り付けられたランプの規格を判別する判別手段と、前記判別手段が特定規格のランプを判別した時に、通信回線を介して所定のサーバにアクセスして、取り付けられた特定規格のランプの駆動条件を該サーバから前記プロジェクタに取り込むダウンロード手段と、取り込んだ駆動条件に基づいて前記駆動回路の動作を設定する駆動条件設定手段と、を備えたことを特徴とする。これにより、交換可能なランプの規格を予め特定しておくことで、取り付けられたランプがその特定されたものに該当する場合には、そのランプの駆動条件がサーバからダウンロードされて設定される。
また、光源ランプ、該ランプの駆動回路、該ランプの照明光を取り込んで画像を生成する光変調装置を備え、前記ランプを交換可能であるプロジェクタであって、前記光源ランプが交換された場合にランプ取り付け位置に取り付けられたランプの規格を判別する判別手段と、前記判別手段が特定規格のランプを判別した時に、所定のサーバにアクセスしてデータのダウンロードが可能な外部機器に対して、取り付けられた特定規格のランプの駆動条件のダウンロードを要求する信号を送信し、かつ前記外部機器がダウンロードした前記駆動条件を前記プロジェクタに取り込むデータ送受信回路と、取り込んだ駆動条件に基づいて前記駆動回路の動作を設定する駆動条件設定手段と、を備えたことを特徴とする。これにより、プロジェクタに接続されたパソコンなどを介してランプの駆動条件のダウンロードし、その後、その駆動条件をプロジェクタに取り込むことが可能となる。また、前記サーバへのアクセス前に、ユーザーに対して取り付けられたランプの駆動条件を該サーバから前記プロジェクタに取り込むことを促す表示手段又は音声出力手段を備えてもよい。これによれば、プロジェクタやプロジェクタに接続された外部機器がサーバにアクセスできない状態となっている場合等においても、そのアクセスを可能にするための設定が直ちにできる。
なお、前記サーバがインターネットに接続されているものである場合には、インターネットとの接続環境のあるいずれの場所からでもアクセスでき、利用範囲が大きく広がる。
【０００６】
また、光源ランプ、該ランプの駆動回路、該ランプの照明光を取り込んで画像を生成する光変調装置を備え、前記ランプを交換可能であるプロジェクタであって、交換可能な複数の規格の光源ランプに対応した複数の駆動条件を予め記憶した記憶手段と、前記光源ランプが交換された場合にランプ取り付け位置に取り付けられたランプの規格を判別する判別手段と、前記判別手段で判別されたランプ規格に対応する予め記憶されていた駆動条件に基づいて前記駆動回路の動作を設定する駆動条件設定手段と、を備えたことを特徴とする。これによれば、ランプ駆動条件を外部から取り込む必要がないので、その設定が短時間で行える。
【０００７】
本発明のプロジェクタシステムは、光源ランプ、該ランプの駆動回路、及び該ランプが交換された場合にランプ取り付け位置に取り付けられたランプの規格を判別する判別手段を備えたプロジェクタと、特定規格のランプの駆動条件を記憶してあるサーバと、前記判別手段が特定規格のランプを判別した時に、通信回線を介して前記サーバにアクセスして、取り付けられたランプの駆動条件を該サーバから前記プロジェクタ又は前記プロジェクタに接続された外部機器にダウンロードするダウンロード手段と、前記ダウンロード手段でダウンロードされた駆動条件に基づいて前記駆動回路の動作を設定する駆動条件設定手段と、を備えたことを特徴とする。このシステムによれば、交換可能なランプの規格を予め特定しておくことで、取り付けられたランプがその特定されたものに該当する場合には、そのランプの駆動条件がサーバからダウンロードされて設定される。
また、前記サーバへのアクセス時に、前記プロジェクタ及び／又はユーザーに関する情報が該サーバ側へ送信され、それらの情報が該サーバの側で一元管理されるようにしてもよい。これにより、サーバの管理者は、プロジェクタ毎又はユーザー毎に、プロジェクタの使用状態を把握管理することが可能となる。
また、上記プロジェクタ又はプロジェクタシステムに用いられるプロジェクタは、前記光源ランプを点灯する前に、前記光源ランプが交換されたか否かを検出する。
【０００８】
【発明の実施の形態】
実施形態１．
図１は本発明の実施形態１に係るプロジェクタの概略構成図である。このプロジェクタ１００は、光源ランプ１、ランプ駆動回路２、ランプ判別手段３、光学回路４、信号処理回路５、デコーダ６、メモリ７、データ受信回路８、警告用表示器９、中央処理制御部１０等からなる。
【０００９】
光源ランプ１は、プロジェクタ１００の照明源であり、複数の規格（ランプの種類及びワット数）のものを交換して利用できるようにしている。ランプ駆動回路２は、光源ランプ１を駆動するためのもので、ランプへ供給する電圧や電流がここで最終的に調整設定される。ランプ判別手段３は、光源ランプが交換された場合に光源ランプ１の規格を判別するものである。光学回路４は、液晶ライトバルブなどの光変調装置に光源ランプ１の照明光を入射させて画像を生成し、それを投写レンズにより投写する光学系である。信号処理回路５は、光学回路４で画像を生成するために必要な画像信号や制御信号が処理される回路である。デコーダ６は、ランプ駆動条件などの特殊なデータが画像データにミックスされて受信された場合に、その特殊データを画像データから離して抽出するものである。
【００１０】
メモリ７は、プロジェクタに各種の情報を記憶保持しておくためのもので、光源ランプ１の駆動条件、投写用画像データ、その他のデータが記憶される。また、メモリ７には、最も良く利用されうる光源ランプ１の駆動条件のいくつかについて、予めそれらの駆動条件を記憶させておいてもよい。さらに、メモリ７には、ユーザーに関る情報（例えば、氏名、住所、電話番号、ｅメールアドレス、暗証番号など）及び／又は、プロジェクタに関する情報（例えば、プロジェクタ型番、光源ランプの規格及び積算使用時間、過去に使用したランプの使用時間、液晶ライトバルブの製品ＩＤ番号及び積算使用時間など）とを記憶させておくこともできる。
【００１１】
データ受信回路８は、プロジェクタ１００の外部から画像やその他のデータを、プロジェクタ内部に取り込むためのインターフェース回路であり、ここから取り込まれたランプ駆動条件は、メモリ７に送られて記憶される。警告用表示器９は、新たに取り付けられた光源ランプ１の駆動条件が、プロジェクタ内部に用意されておらず、他の機器からダウンロード等する必要がある時に、それをユーザーに知らせるために表示されるものである。表示内容には、例えば、ランプ規格とダウンロードを促す旨の表示とを含む。従って、この目的のためには、警告用表示器９に代えて、同等の目的が達せられる音声出力装置を備えてもよい。中央処理制御部１０は、ここまで説明してきた各ユニット１〜９を適切に関連付けて所定の動作を実行させるためのものであって、ＣＰＵなどから構成される。また、中央処理制御部１０は、ランプ取り付け位置に新たに取り付けられたランプの駆動条件をメモリ７等から呼び出して、その条件に基づいて、ランプ駆動回路２を設定して、光源ランプ１に供給される電流や電圧を決定する機能も備える。
【００１２】
ここで、ランプ判別手段３について詳述しておく。プロジェクタ１００は、異なる種別、例えば、水銀、メタルハライド、キセノン、ハロゲンなどの光源ランプが使用可能で、また、異なるワット数、例えば、６０Ｗ、１２０Ｗ、１８０Ｗ、２４０Ｗなどのランプを使用可能としている。勿論、そのためには光学回路４が、これらのランプで共有できるように構成されていることが前提である。また、交換されるランプは、そのアーク位置や外部端子が共通化されるようにするのが望ましい。これらのランプ種別やワット数の違いによって、それぞれのランプの駆動条件（駆動電圧及び駆動電流）が相違するため、光源ランプの交換があったような場合には、新たに取り付けられたランプの規格を判別して、それに対応した駆動条件を設定する必要がある。ランプ判別手段３は、そのランプ規格の判別に用いられる。
【００１３】
図２はランプ判別手段３の一例を示す説明図である。図２（ａ）に示すように、光源ランプ１が取り付けられるランプ取付台３１に、ランプのワット数に対応するプッシュスイッチＡ〜Ｄと、ランプの種別に対応するプッシュスイッチＷ〜Ｚとが円弧をなすように配置されている。また、プッシュスイッチＡ〜Ｄ、Ｗ〜Ｚの中央に台形状の凸部３２を形成してある。一方、交換可能な光源ランプには、台形状の凸部３２に勘合する台形状の凹部を形成するとともに、ランプ取付台３１のプッシュスイッチＡ〜Ｄ、Ｗ〜Ｚの配置に対応させて、それぞれランプの種別を特定するピンとワット数を特定するピンを設けておく。プッシュスイッチＡ〜Ｄ、Ｗ〜Ｚとランプの種別及びワット数の関係は、例えば、図２（ｂ）の関係とすることができる。このようにしておくことで、光源ランプ１はランプ取付台３１に常に正しい向きに取り付けられるとともに、対応するプッシュスイッチがランプのピンに押されてＯＮするために、そのＯＮされたスイッチに応じて、取り付けられたランプの規格が判別可能となる。
【００１４】
ランプ判別手段３の他の構成としては、例えば、ランプ自体にメモリを付けてそのメモリにランプ規格を記憶させておき、光源ランプが交換された場合に、そのランプ規格を読み出してランプ規格を判別する構成とすることもできる。この構成は、多数の規格のランプを交換可能とする場合に適している。なお、ランプ判別手段３の構成は特に限定されるものではなく、その目的を達成しうる任意の構成が採用できる。
メモリを付与した場合には、そのメモリにランプの規格（型番あるいは、さらに、メーカを特定する情報等）以外にランプの製造番号のＩＤを付与することもできる。ＩＤを付与した場合は、ランプ固体を特定することができるので、プロジェクタ内に保持されているランプの積算使用時間の情報を有効に活用することができる。
【００１５】
上記プロジェククタ１００における、交換により新たに取り付けられたランプの駆動条件は、次のように設定される。まず、ランプが交換された場合、プロジェクタ１００の電源がＯＮされと、ランプ判別手段が作用し、ランプ取り付け位置に取り付けられているランプの規格が判別される。続いて、中央処理制御部１０は、判別されたランプ規格の駆動条件が、メモリ７内に用意されているかどうかを判断する。中央処理制御部１０がメモリ７内に用意されていると判断すると、中央処理制御部１０はその駆動条件に基づきランプ駆動回路２の抵抗などを調整して、該駆動条件に対応した電圧や電流が得られるようにランプ駆動回路２を設定する。
これに対して、中央処理制御部１０がメモリ７内に対応する判別されたランプ規格に対応する駆動条件が用意されていないと判断すると、プロジェクタ１００の電源ＯＮ時、警告用表示器９に対して該駆動条件を外部から取り込むように促す警告を表示させる。ユーザーは、何らか手段で該駆動条件を取得した後、その駆動条件をデータ受信回路８を介してプロジェクタに入力し、メモリ７に記憶させる。メモリ７に対応する駆動条件が入力されると、中央処理制御部１０はその駆動条件に基づき、該駆動条件に対応した電圧や電流が得られるようにランプ駆動回路２を設定する。
【００１６】
なお、ランプ駆動条件のプロジェクタ１００への入力方法は、ここでは特に問わない。従って、手動で入力させるてもよい。また、プロジェクタ１００がパソコンと映像用ケーブルでつながっている場合には、ダウンロード等によりパソコンに取り込んだランプ駆動条件を、画像データにミックスしてプロジェクタ１００に送り、それの駆動条件をデコーダ６により抽出して、メモリ７に記憶することもできる。また、プロジェクタをデータ受信モードにして、その駆動データをパソコンから取り込んでもよい。さらに、プロジェクタ１００がＴＶチューナーを内蔵している場合には、ＴＶ放送送信機器から放送用画像にランプ駆動条件をミックスして放送してもらい、その放送をＴＶチューナーで受信し、その放送データをデコーダ６にかけてランプ駆動条件を抽出し、その抽出されたデータを、メモリ７に記憶することもできる。
【００１７】
実施形態２．
図３は本発明の実施形態２に係るプロジェクタおよびそのプロジェクタを利用したプロジェクタシステムの概略構成図である。このプロジェクタ１１０は、光源ランプ１、ランプ駆動回路２、ランプ判別手段３、光学回路４、信号処理回路５、デコーダ６、メモリ７、警告用表示器９、中央処理制御部１０、アップロード／ダウンロード手段１１、データ送受信回路１２等からなる。これは、図１のデータ受信回路に代えて、アップロード／ダウンロード手段１１とデータ送受信回路１２が加わったもので、他の構成は図１と同じである。アップロード／ダウンロード手段１１は、ランプの駆動条件を通信回線３００を介して、光源ランプの駆動条件が多数公開されているメーカなどのサーバ４００にアクセスし、所定の光源ランプの駆動条件をメモリ７へダウンロードし、また、前述のユーザーに関する情報やプロジェクタに関する情報をサーバ４００側へアップロードするためのものである。従って、このアップロード／ダウンロード手段１１は、一般のパソコンが有するデータのアップロード／ダウンロード機能が備わった構成となっていればよい。なお、データ送受信回路１２は、プロジェクタ１１０とその外部機器との間で各種データ及び投写画像等の送受信を行うインターフェースである。
【００１８】
通信回線３００には、公衆回線、専用回線、インターネットなどが利用できる。特に、通信回線３００がインターネットで、そのインターネット上にサーバ４００があれば、本システムの利用範囲が大きく広げられる。サーバ４００は通常データベース４０１に接続されており、そのデータベース４０１に各種のデータが保存されている。
【００１９】
次に、図３のシステムにおけるプロジェクタのランプ駆動条件設定方法を、図４のランプ駆動条件設定方法を示すフロチャートに従って説明する。プロジェクタ１１０の光源ランプ１が交換された場合（ステップＳ１）、プロジェクタ１１０の電源がＯＮされると（ステップＳ２）、ランプ判別手段３により新たに取り付けられたランプの判別が実行される（ステップＳ３）。
【００２０】
続いて、判別されたランプの規格が、予め定めておいた特定規格のランプであるか否かが判断される（ステップＳ４）。ここで、特定規格とは、例えば、本プロジェクタで使用可能なランプの規格、あるいは、メモリ７中に駆動条件が記憶されていないランプの規格等で、それは任意に設定されてよい。ランプ判別手段３により判別されたランプの規格が特定規格の場合には、警告用表示器９にそれに対応するランプ駆動条件のダウンロードを促す表示を行い（ステップＳ５）、それが特定規格のランプでない場合には駆動条件設定動作を終了する。なお、何れのランプを特定規格のランプとするかによって、特定規格のランプの場合に駆動条件設定動作が終了し、特定規格のランプでない場合にランプ駆動条件のダウンロードを促す表示を行うことになる場合もある。ユーザーは、この表示器９の表示に従って、ダウンロード実行要求を行う（ステップＳ６）。従って、プロジェクタ１１０が通信回線３００に接続されていないような場合には、ユーザーは表示器９の表示を見て、プロジェクタ１１０を通信回線３００に接続することができる。なお、表示器９を表示させることなく、直接ダウンロードの実行に進めるようにしてもよい。
【００２１】
続いて、アップロード／ダウンロード手段１１が、光源ランプの駆動条件が多数公開されている予め指定されているメーカなどのサーバ４００に、通信回線３００を介してアクセスする（ステップＳ７）。この際、メモリ７に記憶されている、前述したプロジェクタに関する情報及び／又はユーザーに関する情報を、サーバ４００側にアップロードするように設定しておいてもよい。サーバ４００へのアクセスが完了したら、ランプ判別手段３を利用して判別された規格に対応するランプの駆動条件をデータベース４０１からダウンロードしてデータ送受信回路１２を介してメモリ７に取り込む（ステップＳ８）。そしてさらに、メモリ７に取り込まれた駆動条件に基づいて、中央処理制御部１０が、ランプ駆動回路２の動作を設定する。すなわち、中央処理制御部１０が駆動条件設定手段として作用し、ランプ駆動回路２から光源ランプ１に供給されるランプ駆動電圧及び／又はランプ駆動電流の値を、メモリ７に取り込まれた駆動条件に基づいて設定する（ステップＳ９）。実際には、中央処理制御部１０の指令によりランプ駆動回路２中の抵抗値などが調整されて、上記駆動条件に対応したランプ供給電圧やランプ供給電流が得られることになる。この設定が終了するとランプ駆動回路２が作動して、光源ランプ１が点灯する（ステップＳ１０）。以上で、プロジェクタのランプ駆動条件設定が終了する。なお、ダウンロードされた駆動条件が画像データとミックスされているような場合には、デコーダ６によりデコードする必要があるが、そうでない場合にはデコーダ６の使用は不要である。
【００２２】
実施形態３．
図５は本発明の実施形態３に係るプロジェクタ及びそのプロジェクタを利用したプロジェクタシステムの概略構成図である。図３のシステムとの相違は、プロジェクタ１２０の内部からアップロード／ダウンロード手段１１がなくなって、それを外部のパソコン２００が有するアップロード／ダウンロード機能で充当している点であり、その他は全て同じである。従って、そのランプ駆動条件設定も、図４で説明した工程に準じて行われる。ただし、このプロジェクタ１２０の場合には、ランプ判別手段３が特定規格のランプを判別した時に、データ送受信回路１２からパソコン２００に対して、取り付けられた特定規格のランプの駆動条件のダウンロードを要求する信号を送信することとし、また、パソコン２００がダウンロードしたランプ駆動条件は、自動的にあるいはパソコン２００の操作により、プロジェクタ１２０に取り込まれるようにしている。
【００２３】
なお、図３、図５において、ランプ判別手段３が特定規格のランプを判別した時に、警告用表示器９を表示させてランプ駆動条件のダウンロードが必要なことをユーザーに知らせ、ユーザーがダウンロードの要求をしたときにのみ、アップロード／ダウンロード手段１１又はパソコン２００のアップロード／ダウンロード機能を作動させるようにしてもよい。また、パソコン２００は、データ送受信回路１２からダウンロード要求を受信した場合に、自動的に所定のサーバ４００へアクセスして必要な駆動条件をダウンロードするように設定してもよい。しかし、パソコン２００が当該ダウンロード要求を受信した際に、そのパソコン２００のディスプレイにダウンロードの督促画面を表示し、その画面からの入力に基づいて、所定のサーバ４００へアクセスして必要な駆動条件をダウンロードするように設定するようにもできる。
【００２４】
図６は本発明の実施形態に係るプロジェクタの別のランプ駆動条件設定方法のフロチャートである。なお、この方法は、プロジェクタ１００，１１０，１２０のいずれにおいても利用でき、そこで使用可能な光源ランプに関して、その規格（ランプ種別及びワット数）毎の駆動条件（少なくとも、駆動電流及び駆動電圧を含む）を、予めメモリ７に記憶させておくものとし、駆動条件の外部からの取り込みは行わない。
【００２５】
以下、この方法を図６のフロチャートに沿って説明する。まず、光源ランプの交換が行われた場合（ステップＳ１１）、プロジェクタ１００の電源がＯＮされると（ステップＳ１２）、プロジェクタ１００に取り付けられた光源ランプ１の規格の判別がランプ判別手段３により実行される（ステップＳ１３）。続いて、中央処理制御部１０によって、ランプ判別手段３で判別されたランプの規格に対応したランプ駆動条件が、メモリ７に記憶された駆動条件の中から選択決定され（ステップＳ１４）、さらに、その駆動条件に基づいて、ランプ駆動回路２の動作が設定される（ステップＳ１５）。この設定が終了するとランプ駆動回路２が作動して、光源ランプ１が点灯する（ステップＳ１６）。以上で、プロジェクタ１００のランプ駆動条件設定が終了する。この方法によれば、ランプの交換が行われるたびに、ランプ駆動条件を外部から取り込む必要がないので、特別な操作なしに、しかも短時間で、プロジェクタ１００に対するランプ駆動条件の設定が実行できる。
【００２６】
上記の説明からわかるとおり、図６の方法を単独で行う場合には、プロジェクタに、アップロード／ダウンロード手段１１及び警告用表示器９を組み込む必要はない。しかし、図６の方法は、図４の方法と組み合わせて用いることもできる。例えば、頻繁に交換が行われると思われる規格のランプに対応する駆動条件は、予めメモリ７に記憶しておいて図６の方法により駆動条件を設定するようにし、それ以外の規格のランプに対しては、図４の方法により駆動条件を設定するようにしてもよい。
【００２７】
なお、上記実施形態におけるランプ駆動条件設定方法の説明では、ランプの交換を前提として説明したが、その場合にはランプの交換を何らかの手段で検知する必要があるため、そのような面倒を省くために、各プロジェクタ１００，１１０，１２０の電源投入時には常にランプ判別手段３をまず作用させ、光源ランプの規格が前回の使用時と異なる場合だけ、ランプの駆動条件設定が実施されるようにしてもよい。
また、上記実施形態では、新たに取り付けられた光源ランプの駆動条件に基づいて、ランプ駆動回路の動作を設定したが、その駆動条件に耐久使用時間が含まれている場合には、ランプを特定するＩＤを基にして、取り付けられたランプの使用時間の管理もその駆動条件に基づいて行うことができる。
さらに、上記実施形態ではサーバからランプ駆動条件のみダウンロードしたが、サーバに光源ランプの駆動条件に加えて、それに対応する液晶ライトバルブの駆動条件、例えば、電圧−透過率特性（ＶＴ特性）およびその特性を考慮した階調補正を行うためのガンマ特性など、を併せて保持しておき、ダウンロードの際にそれら両方の駆動条件をプロジェクタにダウンロードして、中央処理制御部１０により、それらの両方の駆動条件をプロジェクタ内で設定させると、より適切な画像表示ができる。
【図面の簡単な説明】
【図１】本発明の実施形態１に係るプロジェクタの概略構成図。
【図２】ランプ判別手段の一例を示す説明図。
【図３】本発明の実施形態２に係るプロジェクタ及びそのプロジェクタを利用したプロジェクタシステムの概略構成図。
【図４】図３のシステムに係るプロジェクタのランプ駆動条件設定方法のフローチャート。
【図５】本発明の実施形態３に係るプロジェクタ及びそのプロジェクタを利用したプロジェクタシステムの概略構成図。
【図６】本発明の実施形態に係るプロジェクタの別のランプ駆動条件設定方法のフローチャート。
【符号の説明】
１…光源ランプ、２…ランプ駆動回路、３…ランプ判別手段、４…光学回路、５…信号処理回路、６…デコーダ、７…メモリ、８…データ受信回路、９…警告用表示器、１０…中央処理制御部、１１…アップロード／ダウンロード手段、１２…データ送受信回路、１００…プロジェクタ、１１０…プロジェクタ、１２０…プロジェクタ、２００…パソコン、３００…通信回線、４００…サーバ、４０１…データベース。
【図１】
2004085749.tif 000003
【図２】
2004085749.tif 000004
【図３】
2004085749.tif 000005
【図４】
2004085749.tif 000006
【図５】
2004085749.tif 000007
【図６】
2004085749.tif 000008